Podtech/llm-jp-corpus-v4-ja_patent huggingface dataset:
(57)【要約】【課題】従来の伸線法における弱点を克服し、加工硬化による伸び性能の低下の少ない極細金属線を製造することのできる製造方法を提供する。【解決手段】ダイス１００の孔１０２に材料１０Ｍを通して引き抜くことにより所定径の線材１０を得る伸線加工工程を実施した後に、圧延加工工程を追加する。圧延加工工程では、製造しようとする極細金属線１０Ａの断面形状に対応した加工溝２を外周面に備える一対のロール１，１を回転させ、この一対のロール１，１ａの各外周面１ａ，１ａ間に加工溝２によって形成される型孔３に、素材である線材１０を通して一対のロール１，１により圧力を加えることにより、所定断面積の極細金属線１０Ａを圧延する。【選択図】図１
2010125500.tif 000002
【特許請求の範囲】
【請求項１】
ダイスの孔に材料を通して引き抜くことにより所定径の線材を得る伸線加工工程と、
この伸線加工工程の後に、製造しようとする極細金属線の断面形状に対応した加工溝を外周面に備える一対のロールを回転させ、この一対のロールの各外周面間に前記加工溝によって形成される型孔に、前記伸線加工工程後の線材を通して、前記一対のロールにより圧力を加えることにより、所定断面積の極細金属線を圧延により製造する圧延加工工程と、を具備することを特徴とする極細金属線の製造方法。
【発明の詳細な説明】
【技術分野】
【０００１】
本発明は、電線に用いる極細金属線の製造方法に関するものである。
【背景技術】
【０００２】
従来、例えば電線に用いる極細金属線の製造は伸線加工と焼き鈍し（熱処理）によっている。
【０００３】
伸線加工は、線材（針金、ワイヤ）の直径を細くし長さを伸ばす金属加工の一種である。この加工に用いられる工具はダイスとよばれ、入口が太く出口が細い円錐状の孔を持っている。
【０００４】
伸線加工は、例えば、図４に示すように、材料（素材である線材）１１０の先端を伸線機（図示略）にセットし、材料１１０の直径よりわずかに小さい孔１０２の開いたダイス１００に材料１１０を通して、矢印Ｆの方向に引き抜き、徐々に細く伸ばして、図示しないリールに巻き取っていく方法である。
【特許文献１】特開２００２−１２９２６２号公報
【発明の開示】
【発明が解決しようとする課題】
【０００５】
ところで、例えば０．１３ｓｑ電線に使用している従来の伸線加工法による極細金属線（例：Ｃｕ−０．３ｗｔ％Ｓｎ合金（銅合金））の場合、強度的には満足な性能が得られているが、加工硬化により伸び性能（伸性）が低下してしまうために、屈曲に弱い電線となり、その電線をコネクタに接続して使用する際に、使用できる部位に制限ができてしまうという問題があった。
【０００６】
本発明は、上記事情を考慮し、従来の伸線法による伸び性能の低下を回復することができて、屈曲に強い極細金属線を製造することのできる製造方法を提供することを目的とする。
【課題を解決するための手段】
【０００７】
請求項１の発明の極細金属線の製造方法は、ダイスの孔に材料を通して引き抜くことにより所定径の線材を得る伸線加工工程と、この伸線加工工程の後に、製造しようとする極細金属線の断面形状に対応した加工溝を外周面に備える一対のロールを回転させ、この一対のロールの各外周面間に前記加工溝によって形成される型孔に、前記伸線加工工程後の線材を通して、前記一対のロールにより圧力を加えることにより、所定断面積の極細金属線を圧延により製造する圧延加工工程と、を具備することを特徴とする。
【発明の効果】
【０００８】
請求項１の発明によれば、伸線加工工程の後に、一対のロールを用いた圧延加工工程を追加することにより、伸線加工時の加工硬化により低下した伸び性能を回復することができる。従って、屈曲に強い電線を作ることができ、その電線をコネクタに接続して使用する場合にも、コネクタの使用部位の制限を取り払うことができる。
【発明を実施するための最良の形態】
【０００９】
以下、本発明の実施形態を図面を参照して説明する。
【００１０】
図１は実施形態の工程説明図で、図１（ａ）は伸線加工工程を実施している状態を示す斜視図、図１（ｂ）はその後の圧延加工工程を実施している状態を示す斜視図、図２は圧延加工工程において一対のロール間に形成される型孔を示す正面図である。
【００１１】
本実施形態の製造方法では、まず第１の工程として、図１（ａ）に示すように、ダイス１００の孔１０２に材料１０Ｍを通して引き抜くことにより所定径の線材１０を得る伸線加工工程を実施する。即ち、材料（素材である線材）１０Ｍの先端を伸線機（図示略）にセットし、材料１０Ｍの直径よりわずかに小さい孔１０２の開いたダイス１００に材料１０Ｍを通して、矢印Ｆの方向に引き抜き、徐々に細く伸ばして、所定径の線材１０を得る。
【００１２】
次に圧延加工工程を実施する。この工程ではまず、最終的に製造しようとする極細金属線１０Ａの断面形状に対応した加工溝２を外周面１ａに備える一対のロール１，１を用意する。そして、この一対のロール１，１を矢印Ａ方向に回転させながら、一対のロール１，１の各外周面１ａ，１ａ間に加工溝２によって形成される型孔３に、素材である線材１０を通して、一対のロール１，１により圧力を加えることにより、所定断面積の極細金属線１０Ａを圧延する。矢印Ｂは圧延方向を示している。
【００１３】
このように伸線工程の後に圧延工程を実施した場合、従来の伸線法だけの場合よりも破断までの伸び率が増大する。
【００１４】
図２は、伸線法だけにより製造したサンプルａ、ｂ、ｃ、ｄ、ｅと、伸線法の後に圧延法を実施して製造したサンプルｆ、ｇ、ｈを試験した結果を示している。
【００１５】
その結果より明らかなように、伸線法の後に圧延法を実施した場合のサンプルは、引っ張り強さの点で僅かに伸線法だけの場合のサンプルよりも劣るものの、伸び率の点では、伸線法だけの場合よりも優れていることが分かる。
【００１６】
このように、伸線法の後に圧延法を追加して製造した極細金属線は、従来の伸線法だけで製造した極細金属線よりも伸び性能に優れるため、この極細金属線を使用することにより、屈曲性に優れた電線を作ることができる。従って、その電線をコネクタに接続して使用することにより、コネクタの使用部位の制限を取り払うことができる。
【図面の簡単な説明】
【００１７】
【図１】本発明の実施形態の製造方法の工程説明図で、（ａ）は伸線加工工程を実施している状態を示す斜視図、（ｂ）はその後の圧延加工工程を実施している状態を示す斜視図である。
【図２】前記圧延加工工程において一対のロール間に形成される型孔を示す正面図である。
【図３】本実施形態の方法により製造したサンプルと従来の伸線法により製造したサンプルの性能を比べた結果を示す特性図である。
【図４】従来の伸線法の説明図である。
【符号の説明】
【００１８】
１，１  一対のロール
１ａ  外周面
２  加工溝
３  型孔
１０  素材である線材
１０Ａ  極細金属線
１０Ｍ  材料
１００  ダイス
１０２  孔
【図１】
2010125500.tif 000003
【図２】
2010125500.tif 000004
【図３】
2010125500.tif 000005
【図４】
2010125500.tif 000006
(57)【要約】【課題】  両手で本体を持ちながら、電子書籍としても利用できる、ノートパソコンの操作機能を提供する。【解決手段】      表面にディスプレイパネルを有するノートパソコン本体と、この本体裏面側両端に、中指、薬指、小指を接しやすい凹凸を持った形状の、樹脂製の持ち手を付設して軽く握り、親指を表面側に、人差し指を裏面側に出せるようにする。本体表面側右端、左端に設けたボタンを表面側に出した両手の親指で押しそれぞれ右クリック、左クリックの機能を持つようにする。本体裏面側に設置したフラットポイント部分で人差し指を動かすことでディスプレイ上のカーソルを動かし、また、本体右側面部のページスクロールダイヤルを回すことでページをめくれるように、本体左側面部の拡大縮小ダイヤルを回すことで拡大、縮小ができるようにする。  以上を特徴とするノートパソコンの操作機能である。【選択図】図１
2010244569.tif 000002
【特許請求の範囲】
【請求項１】
次の各部分を特徴とする、電子書籍として利用できるノートパソコンの操作機能。
（イ）  表面にディスプレイパネルを有するノートパソコン本体と、この本体の裏面側両端に、両手の中指、薬指、小指を接しやすい凹凸を持った形状の、樹脂製の持ち手を付設して軽く握り、本体を持ち上げ、親指を表面側に、人差し指を裏面側に出せるようにする。
（ロ）  本体表面側に出した両手の親指で表面側右端、左端に設けたボタンを押し、それぞれ右クリック、左クリックの機能を持つようにする。
（ハ）  本体裏面側に出した両手の人差し指で裏面側に設けたフラットポイントを操作することでカーソルを動かし、また、本体右側面部のページスクロールダイヤルを回すことでページをめくれるように、本体左側面部の拡大縮小ダイヤルを回すことで拡大、縮小ができるようにする。
【発明の詳細な説明】
【技術分野】
【０００１】  本発明はノートパソコンのディスプレイパネルの両側に持ち手を付設し、画面に触れずに、両手の親指、人差し指を効率よく使うことのできる操作機能に関するものである。
【背景技術】
【０００２】  従来、ノートパソコンで、マウスを利用しない場合は、本体手前側中央部に設置されたフラットポイントでカーソルの移動、クリックをすることで操作をしてきた。また、タッチパネル式の物の場合は、ディスプレイパネルに表示されるアイコンを直接指で触れることで操作してきた。
【発明の開示】
【発明が解決しようとする課題】
【０００３】  そのために、次のような問題点があった。
（イ）片手がフラットポイントの操作でふさがることにより、本体を持ち上げる、または持ち運びながらの使用が困難であり、電子書籍として利用しづらかった。
（ロ）タッチパネル式の場合は、ディスプレイパネルに直接指で触れるため、画面に指紋などの汚れが付着しやすかった。
本発明は、以上の問題点を解決するためのものである。
【課題を解決するための手段】
【０００４】（イ）表面にディスプレイパネルを有するノートパソコン本体と、この本体の裏面側両端に、両手の中指、薬指、小指を接しやすい凹凸を持った形状の、樹脂製の持ち手を付設して軽く握り、本体を持ち上げ、親指を表面側に、人差し指を裏面側に出せるようにする。
（ロ）表面側に出した両手の親指で本体表面側の右端、左端に設けたボタンを押し、それぞれ右クリック、左クリックの機能を持つようにする。
（ハ）本体裏面側に出した両手の人差し指で裏面側に設けたフラットポイントを操作することでディスプレイ上のカーソルを動かし、また、右側面のページスクロールダイヤルを回すことでページをめくれるように、左側面の拡大縮小ダイヤルを回すことで拡大、縮小ができるようにする。
以上を特徴とするノートパソコンの操作機能である。
【発明の効果】
【０００５】  ノートパソコン本体を持ち上げながらでも、両手の親指、人差し指を効率的に使った操作ができ、また、電子書籍としての使用時には、両手で持ちながらページをめくることで紙の本の読書に近い感覚を得ることができる。さらに、画面に直接指で触れないため、汚れが付着しづらい。
【発明を実施するための最良の形態】
【０００６】  以下、本発明の実施の形態を説明する。
（イ）  表面にディスプレイパネル（１）を有するノートパソコン本体（Ａ）と、この本体の裏面側両端に、樹脂製の、中指、薬指、小指を接しやすい凹凸を持った形状の持ち手（２）を付設する。
（ロ）  本体（Ａ）表面側の右端、左端にボタンを付設し右ボタン（３）、左ボタン（４）とする。
（ハ）  本体（Ａ）裏面側の両端部分にフラットポイント（５）を付設する。また、（１）の右側面部にページスクロールダイヤル（６）を、左側面部に拡大縮小ダイヤル（７）を付設する。
本発明は以上のような構成で、これを利用するときは、持ち手（２）を中指、薬指、小指で軽く握り、親指を本体（Ａ）表面側に人差し指を裏面側に出す。表面側に出した両手の親指で右ボタン（３）、左ボタン（４）を押し、それぞれ右クリック、左クリックの機能を持つようにする。また、裏面側に出した両手の人差し指でフラットポイント（５）を動かすことでディスプレイ上のカーソルを操作し、さらに電子書籍としての利用時には、ページスクロールダイヤル（６）と拡大縮小ダイヤル（７）を使い、両手で持ちながら紙の本の読書に近い感覚を得ることができる。
【図面の簡単な説明】
【０００７】
【図１】  本発明の構成、実施を示すフローチャート図
【図２】  本発明の表面側斜視図
【図３】  本発明の裏面側斜視図
【図４】  本発明の右側面図
【図５】  本発明の左側面図
【符号の説明】
【０００８】Ａ  ノートパソコン本体
１  ディスプレイパネル
２  持ち手
３  右ボタン
４  左ボタン
５  フラットポイント
６  ページスクロールダイヤル
７  拡大縮小ダイヤル
【図１】
2010244569.tif 000003
【図２】
2010244569.tif 000004
【図３】
2010244569.tif 000005
【図４】
2010244569.tif 000006
【図５】
2010244569.tif 000007
(57)【要約】      （修正有）【課題】身体の自由を奪われても防犯ブザーを発動させる機能を提供する。【解決手段】手袋１の親指先端部と小指先端部に通電性のあるシート２，３を張り付ける。このシート２，３をケーブル４，５で手袋手首部分に取り付けた防犯ブザー６に接続し、親指部分と小指部分とのシート２，３を接触させることにより警報音を発生する。【選択図】図１
2010244493.tif 000002
【特許請求の範囲】
【請求項１】
手袋の親指部分と小指部分に通電性のシートを張り付け、手袋手首部分に防犯ブザーを取り付けてあることを特徴とする携帯防犯ブザー。
【請求項２】
手袋の親指部分と小指部分に取り付けたシートを接触させる行為が手袋手首部分に取り付けた防犯ブザーの警報音を発生することを特徴とする防犯ブザー。
【発明の詳細な説明】
【技術の分野】
【００１】  本発明は、非常事態を周囲の人々に知らせるとともに、犯人などを威嚇する携帯用防犯ブザーに関するものである。
【背景技術】
【００２】  近年、治安の悪化により凶悪事件が多発しているため、携帯用防犯ブザーの重要性が高まっている。
通常、携帯用防犯ブザーとしては、ブザー本体にスイッチが設けられており、緊急時にこのスイッチを引き抜くと、警報音が発せられ、非常事態を知られるものが用いられている。（特許文献１参照）
【先行技術文献】
【特許文献】
【００３】
【特許文献１】特開  ２００８−１３９９３９号公報
【発明の概要】
【発明が解決しようとする課題】
【００４】  従来の防犯ブザーは図２に示すように、防犯ブザー本体又は本体キーに触れることにより、警報音を発生し非常事態を知られるものが一般的に用いられている。
しかしながら、以上の技術によれば、危害を加えようとする他人に脅され身体の自由を奪われれば防犯ブザーの機能を使用出来なかった。
そこで、この発明は、身体の自由を奪われても防犯ブザーを発動させる機能を提供することを課題とする。
【課題を解決するための手段】
【００５】  以上の課題を解決するために、本発明は、手袋の親指先端部分と小指先端部分に通電性のあるシートを貼り、通電性のシートを接触させると手袋手首部分に設置した防犯ブザーが警報音を発生することを特徴とする防犯ブザーである。
【発明の効果】
【００６】  本発明によれば、危害を加えようとする他人に脅され身体の自由を奪われても、手袋の親指部分と小指部分が可動可能であれば防犯ブザーの機能を使用出来る。
【図面の簡単な説明】
【図１】この発明の一実施形態を示す斜視図である。
【図２】従来技術を示す斜視図である。
【発明を実施するための形態】
【００７】  この発明の一実施形態を図１に示す。
手袋の親指先端部と小指先端部に通電性のあるシートを接着剤で張り付ける。親指と小指部分に取り付けた通電性のシートを通電性のあるケーブルで手袋手首部分に取り付けた防犯ブザーに繋ぎ留め、警報音を発生する仕組みとする。
また、ブザー本体部にはブザー発生装置を取り付け、ブザーが発生した場合には本体部電源スイッチをＯＦＦにすることによりブザーを停止させることが出来る仕組みとする。
【符号の説明】
【０８】Ａ  手袋型防犯ブザー
１  手袋
２  親指先端部通電性シート
３  小指先端部通電性シート
４  親指先端部と防犯ブザーを繋ぐケーブル
５  子指先端部と防犯ブザーを繋ぐケーブル
６  防犯ブザー
７  防犯ブザー本体電源スイッチ
８  ケーブル留め
Ｂ  従来の防犯ブザー
１  防犯ブザー鳴動部スピーカー
２  引きスイッチ
【図１】
2010244493.tif 000003
【図２】
2010244493.tif 000004
(57)【要約】【課題】蛍光灯型ＬＥＤランプの口金部分の角度調整機構を提供する。【解決手段】蛍光灯型ＬＥＤランプの口金部において、蛍光灯型ＬＥＤランプの口金部を２つのパーツＡ、Ｂより構成して、パーツＡは蛍光灯型ＬＥＤランプの端部に固定して、パーツＢはパーツＡと着脱可能として、パーツＡに所定角度のピッチでミゾを設け、パーツＢに前記ミゾに嵌る形状のツメを設け、パーツＡとパーツＢの結合の角度の調整により、蛍光灯型ＬＥＤランプの射光方向の調整が可能である、ことを特徴とする蛍光灯型ＬＥＤランプの口金部。【選択図】  図１
2010244810.tif 000002
【特許請求の範囲】
【請求項１】
蛍光灯型ＬＥＤランプの口金部において、
蛍光灯型ＬＥＤランプの口金部を２つのパーツＡ、Ｂより構成して、
パーツＡは蛍光灯型ＬＥＤランプの端部に固定して、パーツＢはパーツＡと着脱可能として、
パーツＡに所定角度のピッチでミゾを設け、パーツＢに前記ミゾに嵌る形状のツメを設け、
パーツＡとパーツＢの結合の角度の調整により、蛍光灯型ＬＥＤランプの射光方向の調整が可能である、
ことを特徴とする蛍光灯型ＬＥＤランプの口金部。
【発明の詳細な説明】
【技術分野】
【０００１】
本発明は、蛍光灯型ＬＥＤ（Ｌｉｇｈｔ  Ｅｍｉｔｔｉｎｇ  Ｄｉｏｄｅ）ランプの口金部分の角度調整機構に関する。
【背景技術】
【０００２】
蛍光灯型ＬＥＤランプが実用されている。
【発明の概要】
【発明が解決しようとする課題】
【０００３】
しかしながら、蛍光灯型ＬＥＤランプ（直管型）を取り付ける際、ランプソケットのタイプによって、射光方向が変わってしまうという問題があった。
本発明は、このような従来の課題を解決するために為されたもので、前記問題を回避する機構を持つ口金部を提供することを目的とする。
【課題を解決するための手段】
【０００４】
上記目的を達成するため、本発明では、次のような構成とした。
すなわち、蛍光灯型ＬＥＤランプの口金部分を２つのパーツ（Ａ、Ｂ）より構成して、パーツＡは蛍光灯型ＬＥＤランプの両端部に固定して、パーツＢについては両方それぞれを回して角度を決める。
【０００５】
ここで、一構成例を示す。
蛍光灯型ＬＥＤランプの口金部において、
蛍光灯型ＬＥＤランプの口金部を２つのパーツＡ、Ｂより構成して、
パーツＡは蛍光灯型ＬＥＤランプの端部に固定して、パーツＢはパーツＡと着脱可能として、
パーツＡに所定角度のピッチでミゾを設け、パーツＢに前記ミゾに嵌る形状のツメを設け、
パーツＡとパーツＢの結合の角度の調整により、蛍光灯型ＬＥＤランプの射光方向の調整が可能である、
ことを特徴とする蛍光灯型ＬＥＤランプの口金部。
【発明の効果】
【０００６】
上記手段で示した構成により、ランプソケットのタイプに合わせて、ＬＥＤ蛍光灯の射光方向を決めて照明を無駄なく使用することが可能となる。
一例として、自動販売機用に合わせて１９度（°）毎に角度を調整することができるものとする。これにより、どのメーカーの自動販売機にも対応が可能となる。
一例として、口金部分は蛍光灯型ＬＥＤランプの両端に同じ物を使用することができる形状とする。つまり、左右対称とする。これにより、量産製作時の時間とコストを削減することができる。
【図面の簡単な説明】
【０００７】
【図１】本発明の一実施例に係るパーツＡ、Ｂの構成例を示す図である。
【図２】本発明の一実施例に係るパーツＡ、Ｂの結合状態の一例を示す図である。
【図３】本発明の一実施例に係る射光方向の角度調整の一例を示す図である。
【図４】本発明の一実施例に係る蛍光灯型ＬＥＤランプの一例を示す図である。
【図５】本発明の一実施例に係るランプソケットの形状の例を示す図である。
【図６】本発明の一実施例に係るパーツＡ、Ｂの結合の様子の一例を示す図である。
【発明を実施するための形態】
【０００８】
本発明に係る実施例を図面を参照して説明する。
本実施例では、蛍光灯型ＬＥＤランプの口金部分を２つのパーツ（Ａ、Ｂ）より構成して、パーツＡは蛍光灯型ＬＥＤランプの両端部に固定して、パーツＢについては両方それぞれを回して角度を決める。
図１には、断面図を用いて、パーツＡ、Ｂの構成例を示してある。
図２には、パーツＡ、Ｂの結合状態の一例を示してある。
図３には、射光方向の角度調整の一例を示してある。
【０００９】
ここで、本例では、パーツＡに１９°ピッチでミゾ（溝）が設けられており、パーツＢに１つのツメ（前記した各ミゾに嵌る形状のもの）が設けられており、パーツＢのツメをパーツＡのいずれのミゾに嵌めるかで、１９°ピッチで角度調整が可能である。
なお、ピッチの角度は１９°に限られず、任意の角度が用いられてもよい。
【００１０】
図４には、蛍光灯型ＬＥＤランプの一例を示してある。
図５には、ランプソケットの形状の例として、差し込み型と、挟み込み型の例を示してある。
【００１１】
図６には、パーツＡ、Ｂ（口金部材Ａ、Ｂ）の結合の様子の一例を示してある。
（１）口金部材Ｂを口金部材Ａから引き出す。
（２）ＬＥＤランプ本体を回転させて、希望の角度にセットする。このとき、口金部材Ｂに付いているツメを口金部材Ａのミゾに差し込んで固定する。
（３）左右対称とする場合には、同じ作業を行う。
これにより、パーツＡ、Ｂ（口金部材Ａ、Ｂ）の結合角度を簡易に調整することができる。
【符号の説明】
【００１２】
Ａ、Ｂ・・パーツ、
【図１】
2010244810.tif 000003
【図２】
2010244810.tif 000004
【図３】
2010244810.tif 000005
【図４】
2010244810.tif 000006
【図５】
2010244810.tif 000007
【図６】
2010244810.tif 000008
(57)【要約】【課題】ＩＣカード等の折り曲げのできないカードを発行する２つのホッパーを有する装置において、カードの発行時間の短縮と機構部の小型化を図る。【解決手段】繰出し位置高さがそれぞれ異なる２つのホッパーを持ち、その直後にカードの推進力を利用しつつその段差を吸収する機構を持つことを特徴とするカード発生装置。カードを一旦停止させることなく段差箇所を通過するため発行時間にロスがなく、また機構が単純であるため装置の小型化を計ることができる。【選択図】図１
2010244243.tif 000002
【特許請求の範囲】
【請求項１】
ＩＣカード等の折り曲げのできないカードを発行する装置において、カード繰出し口の高さに段差を持たせた２つのホッパーであるホッパーＡ（１）とホッパーＢ（２）を持ち、券出口反対側に配置された該ホッパーＢ（２）から繰出されたカードはその隣に段差をつけて配置された該ホッパーＡ（１）の上面を通過し、上下に揺動できる機構を有しデフォルトの位置は前期ホッパーＡ（１）の繰出し位置にバネで常時引っ張られて固定されている段差吸収部（３）に送られ、該カードが前記ホッパーＡ（１）上面を抜けると、バネに引かれて該段差吸収部（３）はデフォルトの高さへ戻り、その後、印刷部（４）、切替え部（５）を通過して出口へと運ばれる機構を持つことを特徴とするカード発行機。
【発明の詳細な説明】
【技術分野】
【０００１】
本発明は、２つのホッパーの間に段差があり、その直後に段差吸収機構を有する、カード発行機に関するものである。
【背景技術】
【０００２】
従来の発行機は経路上に段差がある場合はカードを一旦停止させ、経路を切替え搬送するという過程で発券されていた。
【先行技術文献】
【特許文献】
【０００３】
【特許文献１】特許第４０４６４９３号公報
【発明の概要】
【発明が解決しようとする課題】
【０００４】
しかしながら、かような装置においては次のような欠点が存在する。一つ目は、カードを一旦停止させる必要があり、発券時間に大きく影響すること。二つ目は、搬送路切替えのための機構部が大掛かりなものとなることである。
【０００５】
本発明は、上述した点に鑑み創案されたもので、その目的とするところは、これらの欠点を解決するカード発行装置を提供することにある。
【課題を解決するための手段】
【０００６】
請求項１の発明によれば、ＩＣカード等の折り曲げのできないカードを発行する装置において、カード繰出し口の高さに段差を持たせた２つのホッパーであるホッパーＡ（１）とホッパーＢ（２）を持ち、券出口反対側に配置された該ホッパーＢ（２）から繰出されたカードはその隣に段差をつけて配置された該ホッパーＡ（１）の上面を通過し、上下に揺動できる機構を有しデフォルトの位置は前期ホッパーＡ（１）の繰出し位置にバネで常時引っ張られて固定されている段差吸収部（３）に送られ、該カードが前記ホッパーＡ（１）上面を抜けると、バネに引かれて該段差吸収部（３）はデフォルトの高さへ戻り、その後、印刷部（４）、切替え部（５）を通過して出口へと運ばれる機構を持つことを特徴とするカード発行機である。
【０００７】
すなわち、ホッパーＡ（１）、ホッパーＢ (２)が段差を設けて配置され、順に段差吸収部（３）、
印刷部（４）、切替え部（５）を置き、これらの下側には保留部（６）、回収箱（７）を配置する。本発明は、以上のような構成を持つカード発行装置である。
【発明の効果】
【０００８】
本発明により、カードを一旦停止する必要がなく、また経路切替えをする時間も必要がないので発行時間が短縮できる。
また、段差における経路切替えのための機構部が小型かつ単純な構造でできる。
【図面の簡単な説明】
【０００９】
【図１】本発明の一実施例を示す主要部説明図である。
【発明を実施するための形態】
【００１０】
繰出し位置高さがそれぞれ異なる２つのホッパーを持ち、その直後に段差吸収機構を持つことを特徴とする。
以下、本発明の実施形態を図に基づいて詳述する。
【実施例１】
【００１１】
図１は本発明の主要部説明図である。
券出口反対側にホッパーＢ（２）が配置され、そこから繰出されたカードはその隣に段差をつけて配置されたホッパーＡ(１)の上面を通過して、段差吸収部（３）に送られる。
【００１２】
段差吸収部（３)は上下に揺動できる機構でデフォルトの位置はホッパーＡ(１)の繰出し位置にバネで常時引っ張られて固定されている。
【００１３】
ホッパーＢ（２）から繰出され、ホッパーＡ（１)の上面を通過して、段差吸収部（３）に入ってきたカードは、その推進力及び引き込み力によりホッパーＢ（２）の繰出し位置まで揺動して動いた段差吸収部（３）に送られる。
【００１４】
カードがホッパーＡ（１）上面を抜けると、バネに引かれて段差吸収部（３）はデフォルトの高さへ戻り、その後、印刷部（４）、切替え部（５）を通過して出口へと運ばれる。
【産業上の利用可能性】
【００１５】
本発明によれば、次のような効果が得られる。
カードを一旦停止させることなく段差箇所を通過するため発行時間にロスがなく、発券時間が短縮することができる。また機構が単純であるため装置の小型化が計ることができる。
【符号の説明】
【００１６】
１    ホッパーＡ
２    ホッパーＢ
３    段差吸収部
４    印刷部
５    切替え部
６    保留部
７    回収箱
【図１】
2010244243.tif 000003